(57)【要約】【課題】ＤＶＤプレイヤ等の光ディスク再生装置において、トレイ上における光ディスクの載置位置が所定位置からずれた場合でも、ずれの方向に関わらず、トレイの引き込みミスを防ぐと共に、トレイイン動作時における装置の操作性を向上させる。【解決手段】全てのスイッチがオンの状態になったとき（Ｓ２でＹＥＳ）、ＤＶＤがトレイ上における所定位置に載置されたと判断して、ＤＶＤの振動が収まるまで５００ミリ秒間待った後に（Ｓ９）、トレイイン動作を自動的に開始すると共に（Ｓ１２）、トレイイン動作が終了するまで（Ｓ１３でＮＯ）、各スイッチのオン／オフ状態のチェック（Ｓ１４）を継続し、いずれかのスイッチのオン／オフ状態が変化した場合に（Ｓ１４でＹＥＳ）、トレイイン動作を中止するようにした。【選択図】      図６
2004206762.tif 000002
【特許請求の範囲】
【請求項１】
光ディスクを載置するトレイと、
前記トレイを装置外部から装置内部に搬送するトレイイン動作、及び前記トレイを装置内部から装置外部に搬送するトレイアウト動作を行う搬送手段と、
前記搬送手段により装置内部に搬送されたトレイ上の光ディスクに記録された情報を読み取る光ディスク情報読取手段と、
前記光ディスク情報読取手段により読み取った情報を再生する再生手段とを備えた光ディスク再生装置において、
前記トレイ上の光ディスクが載置されるべき位置に配設されて、光ディスクが前記トレイ上の所定位置に載置されている場合にオンの状態となり、光ディスクが前記トレイ上の所定位置に載置されていない場合にオフの状態となる複数のスイッチと、
前記トレイが前記トレイアウト動作により装置外部に搬送された後に、前記の各スイッチのオン／オフ状態をチェックして、そのチェック結果に基づいて前記搬送手段によるトレイイン動作を制御する制御手段とをさらに備え、
前記制御手段は、前記複数のスイッチのうち全てのスイッチがオンの状態になったとき、該状態になってから所定の時間が経過した後に、前記搬送手段によるトレイイン動作を自動的に開始すると共に、前記搬送手段によるトレイイン動作が終了するまで前記各スイッチのオン／オフ状態のチェックを継続し、いずれかのスイッチのオン／オフ状態が変化した場合に、前記搬送手段によるトレイイン動作を中止して、前記搬送手段によるトレイアウト動作を自動的に実行することを特徴とする光ディスク再生装置。
【請求項２】
光ディスクを載置するトレイと、
前記トレイを装置外部から装置内部に搬送するトレイイン動作、及び前記トレイを装置内部から装置外部に搬送するトレイアウト動作を行う搬送手段と、
前記搬送手段により装置内部に搬送されたトレイ上の光ディスクに記録された情報を読み取る光ディスク情報読取手段と、
前記光ディスク情報読取手段により読み取った情報を再生する再生手段とを備えた光ディスク再生装置において、
光ディスクが前記トレイ上の所定位置に載置されたか否かを検知する検知手段と、
前記トレイが前記トレイアウト動作により装置外部に搬送された後に、前記検知手段による検知結果をチェックして、光ディスクが前記トレイ上の所定位置に載置されたと検知された場合に、その検知時点から所定の時間が経過した後に、前記搬送手段によるトレイイン動作を自動的に実行し、光ディスクが前記トレイ上の所定位置に載置されていないと検知された場合に、前記搬送手段によるトレイイン動作を実行しないように制御する制御手段とをさらに備えたことを特徴とする光ディスク再生装置。
【請求項３】
前記制御手段は、前記検知手段により光ディスクが前記トレイ上の所定位置に載置されたと検知された場合に、その検知時点から所定の時間が経過した後に、前記搬送手段によるトレイイン動作を自動的に開始すると共に、前記搬送手段によるトレイイン動作が終了するまで前記検知手段による検知を継続し、その検知結果が変化した場合に、前記搬送手段によるトレイイン動作を中止することを特徴とする請求項２に記載の光ディスク再生装置。
【発明の詳細な説明】
【０００１】
【発明の属する技術分野】
本発明は、ＤＶＤ（Digital Versatile Disc）等の光ディスクを載置するトレイを有し、トレイに載置された光ディスクに記録された画像、音声等の情報を再生する光ディスク再生装置に係り、特に、トレイの引き込み技術に関する。
【０００２】
【従来の技術】
従来より、ＣＤ（Compact Disc），ＬＤ(Laser Disc)，ＤＶＤ−ＲＯＭ(DVD-Read Only Memory)，ＭＤ(Mini Disc)等の光ディスクに記録された画像、音声、文字等の情報を再生する光ディスク再生装置には、光ディスク載置用のトレイ上に光ディスクの径のサイズよりも若干大きめのサイズの開口径を有するディスク装填用の枠が設けられており、ユーザがディスク装填枠内に光ディスクを置くことにより、光ディスクがトレイ上の所定の位置にセットされるようになっている。この種の装置において、トレイがオープンした状態で光ディスクが載置された位置が装置本体側（以下、奥側という）にずれた場合に、トレイの引き込みミスを防ぎ、トレイ上に載置された光ディスクの破損を防止するための工夫が施された装置がある。この装置では、トレイ上における奥側の位置に凸部を設けて、光ディスクがトレイ上における奥側にずれた位置に載置された場合に、上記の凸部により光ディスクを傾けて、トレイのクローズ時に光ディスクの先端部分が装置本体前面のプレートに当たり、光ディスクがディスク装填枠内に落ちてトレイ上の所定の位置にセットされるようにしている。
【０００３】
また、この種の装置において、装置の操作性を向上させる目的で、ディスク載置用のトレイを装置内部から装置外部に搬送するトレイアウト動作の終了後、所定の時間が経過すると、トレイを装置外部から装置内部に搬送するトレイイン動作を自動的に実行するようにしたものがある。
【０００４】
さらにまた、ディスク載置用のトレイのトータルなクローズ／オープン動作時間の短縮等を目的として、モータがトレイを駆動するスピードとチルト機構を駆動するスピードとを切り換えるようにしたものが知られている（例えば、特許文献１参照）。また、ディスクを装置内部に直接挿入する方式のディスク再生装置において、装置の操作性を向上させる目的で、装置内部に挿入されたディスクを３つの位置決め手段により挟持して自動的に装置内部の演奏位置に搬送するようにしたものが知られている（例えば、特許文献２参照）。また、ディスク交換機の分野において、フォトセンサを用いてディスク番号及びディスクロード検出信号を検出し得るようにしたものが知られている（例えば、特許文献３参照）。
【０００５】
【特許文献１】
実用新案登録第２５６４３９９号公報（第１−５頁、図１−３）
【特許文献２】
特公平６−５５９１号公報（第１−６頁、図１−６）
【特許文献３】
特開平１０−１６２４７４号公報（第１−４頁、図３−５）
【０００６】
【発明が解決しようとする課題】
しかしながら、上記のような従来のトレイ上における奥側の位置に配設した凸部により光ディスクを傾けて、光ディスクの先端部分が装置本体前面のプレートによりディスク装填枠内に押し出されるようにした装置では、トレイ上における光ディスクの載置位置が奥側以外の方向にずれた場合には、光ディスクをトレイ上の所定の位置にセットすることができないため、トレイの引き込みミスを防ぐことができない。また、ユーザが、ディスクをトレイ上に載置した後に、エジェクトボタン等を押してトレイイン動作の実行を指示しなければならないため、操作性が悪い。また、上記のようなトレイアウト動作が終了してから所定の時間が経過すると自動的にトレイイン動作を実行する装置では、トレイイン動作の実行時におけるトレイの引き込みミスを防ぐことができない。さらにまた、上記特許文献１乃至３に示されるいずれの発明によっても、上記の問題を解決することはできない。
【０００７】
本発明は、上記の問題を解決するためになされたものであり、トレイ上における光ディスクの載置位置が所定位置からずれた場合でも、ずれの方向に関わらず、トレイの引き込みミスを防ぐと共に、トレイイン動作時における装置の操作性を向上させることが可能な光ディスク再生装置を提供することを目的とする。
【０００８】
【課題を解決するための手段】
上記目的を達成するために請求項１の発明は、光ディスクを載置するトレイと、
トレイを装置外部から装置内部に搬送するトレイイン動作、及びトレイを装置内部から装置外部に搬送するトレイアウト動作を行う搬送手段と、搬送手段により装置内部に搬送されたトレイ上の光ディスクに記録された情報を読み取る光ディスク情報読取手段と、光ディスク情報読取手段により読み取った情報を再生する再生手段とを備えた光ディスク再生装置において、トレイ上の光ディスクが載置されるべき位置に配設されて、光ディスクがトレイ上の所定位置に載置されている場合にオンの状態となり、光ディスクがトレイ上の所定位置に載置されていない場合にオフの状態となる複数のスイッチと、トレイがトレイアウト動作により装置外部に搬送された後に、上記の各スイッチのオン／オフ状態をチェックして、そのチェック結果に基づいて搬送手段によるトレイイン動作を制御する制御手段とをさらに備え、制御手段は、複数のスイッチのうち全てのスイッチがオンの状態になったとき、その状態になってから所定の時間が経過した後に、搬送手段によるトレイイン動作を自動的に開始すると共に、搬送手段によるトレイイン動作が終了するまで各スイッチのオン／オフ状態のチェックを継続し、いずれかのスイッチのオン／オフ状態が変化した場合に、搬送手段によるトレイイン動作を中止して、搬送手段によるトレイアウト動作を自動的に実行するようにしたものである。
【０００９】
上記構成においては、制御手段は、複数のスイッチのうち全てのスイッチがオンの状態になったとき、光ディスクがトレイ上における所定位置に載置されたと判断する。そして、全てのスイッチがオンの状態になってから所定の時間が経過すると、光ディスクをトレイ上に載置した際の光ディスクの振動が収まったとみなして、搬送手段によるトレイイン動作を自動的に開始すると共に、トレイイン動作が終了するまで各スイッチのオン／オフ状態のチェックを継続し、いずれかのスイッチのオン／オフ状態が変化した場合に、トレイイン動作を中止する。これにより、トレイ上における光ディスクの載置位置が所定位置からずれた場合でも、ずれの方向に関わらず、トレイの引き込みミスを防ぐことができ、また、トレイイン動作の実行時に、従来の装置のようにエジェクトボタン等を押して実行を指示する必要がないので、装置の操作性を向上させることができる。
【００１０】
また、請求項２の発明は、光ディスクを載置するトレイと、トレイを装置外部から装置内部に搬送するトレイイン動作、及びトレイを装置内部から装置外部に搬送するトレイアウト動作を行う搬送手段と、搬送手段により装置内部に搬送されたトレイ上の光ディスクに記録された情報を読み取る光ディスク情報読取手段と、光ディスク情報読取手段により読み取った情報を再生する再生手段とを備えた光ディスク再生装置において、光ディスクがトレイ上の所定位置に載置されたか否かを検知する検知手段と、トレイがトレイアウト動作により装置外部に搬送された後に、検知手段による検知結果をチェックして、光ディスクがトレイ上の所定位置に載置されたと検知された場合に、その検知時点から所定の時間が経過した後に、搬送手段によるトレイイン動作を自動的に実行し、光ディスクがトレイ上の所定位置に載置されていないと検知された場合に、搬送手段によるトレイイン動作を実行しないように制御する制御手段とをさらに備えたものである。
【００１１】
この構成においては、制御手段は、検知手段による検知結果をチェックして、光ディスクがトレイ上の所定位置に載置されたと検知された場合に、光ディスク載置時における光ディスクの振動に起因してトレイの引き込みミスが発生するのを避けるために、上記の検知時点から所定の時間が経過するのを待って、搬送手段によるトレイイン動作を自動的に実行し、光ディスクがトレイ上の所定位置に載置されていないと検知された場合に、搬送手段によるトレイイン動作を実行しないように制御する。これにより、上記請求項１と同様な作用を得ることができる。
【００１２】
また、請求項３の発明は、請求項２の発明において、制御手段は、検知手段により光ディスクがトレイ上の所定位置に載置されたと検知された場合に、その検知時点から所定の時間が経過した後に、搬送手段によるトレイイン動作を自動的に開始すると共に、搬送手段によるトレイイン動作が終了するまで検知手段による検知を継続し、その検知結果が変化した場合に、搬送手段によるトレイイン動作を中止するようにしたものである。この構成においては、トレイイン動作の途中でトレイ上における光ディスクの載置位置が所定位置からずれた場合でも、トレイの引き込みミスを防ぐことができる。
【００１３】
【発明の実施の形態】
以下、本発明を具体化した実施形態について図面を参照して説明する。図１は、本実施形態によるＤＶＤプレイヤ（光ディスク再生装置）の電気的ブロック構成を示す。このＤＶＤプレイヤ１は、ＤＶＤ（Digital Versatile Disc）２に記録されている映像データを読み取って再生し、再生した映像をディスプレイ３０上に表示させる装置であり、トレイ上に載置されたＤＶＤ２を自動的に装置内部に取り込む機能を有する。
【００１４】
ＤＶＤプレイヤ１は、ＤＶＤ２に記録されている情報の読み取り時にＤＶＤ２を回転駆動するスピンドルモータ３、ＤＶＤ２に記録されている情報をＲＦ信号の形式で出力する光ピックアップ４（光ディスク情報読取手段）、光ピックアップ４から出力されたＲＦ信号の２値化処理等を行うＲＦ回路５、ＲＦ回路５による処理後のデータに対してデータ復調や誤り訂正等のデコード処理を施すデコーダ６（再生手段）、及びデコーダ６から出力されたデジタル信号をアナログ信号に変換するＤ／Ａ変換処理部７を有している。また、ＤＶＤプレイヤ１は、装置全体の制御を行う制御部１０（制御手段）、装置に上記のトレイアウト動作の実行等を指示するための操作部１１、各種のメッセージを表示する表示部１２、リモコン４０から送信された赤外線信号を受信して電気信号に変換する赤外線信号受信部１３、及び各種の設定データ等を格納したメモリ１４を備えている。上記の制御部１０はタイマ１８を内蔵している。
【００１５】
また、図中のディスク載置検知部（検知手段）１５は、ＤＶＤ２がトレイ上の所定の位置に載置されたか否かを検知する。また、ローディングモータ１６（搬送手段）は、装置外部から装置内部へのトレイの搬送（トレイイン動作）と装置内部から装置外部へのトレイの搬送（トレイアウト動作）とを行い、ディスク挿入検知部１７は、トレイ上に載置されたＤＶＤ２が装置内部に挿入されたか否かを検知する。
【００１６】
図２は、トレイがクローズした状態におけるＤＶＤプレイヤ１、リモコン４０及びディスプレイ３０を示す。図に示されるように、ＤＶＤプレイヤ１の前面には、上記の操作部１１、表示部１２及び赤外線信号受信部１３に加えて、ＤＶＤ２を載置するためのトレイ５１が配設されている。操作部１１には、上記のトレイアウト動作の実行及びトレイイン動作の強制実行を指示するためのエジェクトキー５２が含まれる。また、上記のリモコン４０には、ＤＶＤプレイヤ１の電源のオン／オフを切り替えるための電源キー４１、エジェクトキー４２、数字入力キー４３、再生キー等の各種の操作キー４４、及び赤外線信号を発信する赤外線信号発信部４６が配されている。上記の操作キー４４には、選択キー４５が含まれている。
【００１７】
図３は、オープンした状態におけるトレイ５１を示す。トレイ５１上のＤＶＤ２が載置されるべき位置には、ＤＶＤ２の装填枠５２が設けられており、この装填枠５２は、その径がＤＶＤ２の径よりも少し大きめの径となるように形成されている。この装填枠５２内には、ＤＶＤ２がトレイ５１上の所定位置に載置されている場合にオンの状態となり、ＤＶＤ２がトレイ５１上の所定位置に載置されていない場合にオフの状態となる複数の押しボタン式のスイッチ５３乃至５５が設けられている。これらのスイッチ５３乃至５５は、図４に示されるように、制御部１０と接続しており、図１中におけるディスク載置検知部１５を構成する。制御部１０は、トレイ５１がオープンした状態において、上記の各スイッチ５３乃至５５のオン／オフ状態をチェックして、そのチェック結果に基づいてトレイイン動作を自動的に実行するか否かを決定する。
【００１８】
次に、図５（ａ）（ｂ）を参照して、上記トレイイン動作の自動実行の決定方法について具体的に説明する。図５（ａ）に示されるように、ＤＶＤ２がトレイ５１上の所定位置に載置されている場合には、全てのスイッチ５３乃至５５がオンの状態となるが、図５（ｂ）に示されるように、ＤＶＤ２がトレイ５１上の所定位置に載置されていない場合には、スイッチ５３乃至５５のうち少なくともいずれかのスイッチがオフの状態となる。従って、制御部１０は、全てのスイッチ５３乃至５５がオンの状態であるときには、ＤＶＤ２がトレイ５１上の所定位置に載置されていると判断して、トレイイン動作の自動実行を行うように決定する。これに対して、上記３つのスイッチ５３乃至５５のうちいずれかがオフの状態であるときには、原則として、ＤＶＤ２がトレイ５１上の所定位置に載置されていないと判断して、トレイイン動作の自動実行を行わないように決定する。
【００１９】
次に、上記図１乃至図５に加えて、図６のフローチャートを参照して、上記トレイ５１がオープンした状態におけるＤＶＤプレイヤ１の処理について説明する。制御部１０は、上記のトレイアウト動作によりトレイ５１がオープンした状態（トレイアウト状態）になると（Ｓ１でＹＥＳ）、トレイ５１上の各スイッチ５３乃至５５のオン／オフ状態をチェックする（Ｓ２）。そして、これらのスイッチ５３乃至５５が３つともオンの状態ではない場合には（Ｓ２でＮＯ）、３つともオフの状態であるか否かをチェックして（Ｓ３）、３つともオフの状態でないときには（Ｓ３でＮＯ）、ＤＶＤ２がトレイ５１上には載置されているが、載置されるべき所定の位置に載置されていないと判断して、トレイイン動作を行わず、表示部１２又はディスプレイ３０上に警告用のメッセージを表示して（Ｓ４）、上記Ｓ２の処理に戻る。
【００２０】
上記Ｓ３におけるチェック処理の結果、スイッチ５３乃至５５が３つともオフの状態であるときには（Ｓ３でＹＥＳ）、制御部１０は、ＤＶＤ２がトレイ５１上に載置されていないか、又はトレイ５１上には載置されているが、載置されるべき所定の位置に載置されていないと判断して、表示部１２又はディスプレイ３０上に警告用のメッセージを表示する（Ｓ５）。そして、全てのスイッチ５３乃至５５がオフの状態が所定の時間以上継続すると（Ｓ６でＹＥＳ）、ＤＶＤプレイヤ１内部のＤＶＤ２を取り出すためにトレイ５１がオープンされたと判断する。この場合には、トレイ５１上にはＤＶＤ２が載置されなくて当然なので、制御部１０は、ＤＶＤ２が載置されていない状態でトレイイン動作を自動的に開始する（Ｓ１２）。また、トレイ５１がオープンされてから所定の時間が経過する前であっても（Ｓ６でＮＯ）、全てのスイッチ５３乃至５５のオン／オフ状態が変化しないうちに（Ｓ７でＮＯ）、操作部１１上のエジェクトキー５２又はリモコン４０上のエジェクトキー４２がユーザにより所定時間内に２回押された場合には（Ｓ８でＹＥＳ）、制御部１０は、トレイ５１上にＤＶＤ２が載置されていない状態でトレイイン動作の強制的な実行が指示されたと判断して、トレイイン動作を開始する（Ｓ１２）。これに対して、３つのスイッチ５３乃至５５のうちいずれかのオン／オフ状態が変化して（Ｓ７でＹＥＳ）、いずれかのスイッチがオンの状態になった場合には、制御部１０は、ＤＶＤ２がトレイ５１上に載置されているが、載置されるべき位置に載置されていないと判断して、トレイイン動作を行わず、上記Ｓ２の処理に戻る。
【００２１】
上記Ｓ２のチェック処理において、スイッチ５３乃至５５が３つともオンの状態になったときには（Ｓ２でＹＥＳ）、制御部１０は、ＤＶＤ２がトレイ５１上における所定の位置に載置されたと判断する。そして、ＤＶＤ２をトレイ５１上に載置した際におけるＤＶＤ２の振動が収まるまで５００ミリ秒間待った後に（Ｓ９）、再度全てのスイッチ５３乃至５５がオンか否かをチェックする（Ｓ１０）。その結果、これらのスイッチ５３乃至５５のうちいずれかがオフの状態に変化した場合には（Ｓ１０でＮＯ）、制御部１０は、トレイ５１上におけるＤＶＤ２の載置位置が所定位置からずれたと判断して、表示部１２又はディスプレイ３０上に警告用のメッセージを表示し、トレイイン動作を行わないで（Ｓ１１）、Ｓ２の処理に戻る。
【００２２】
これに対して、全てのスイッチ５３乃至５５がオンのままである場合には（Ｓ１０でＹＥＳ）、制御部１０は、トレイ５１上におけるＤＶＤ２の載置位置が所定位置からずれていないと判断して、トレイイン動作を自動的に開始する（Ｓ１２）。そして、トレイイン動作が終了するまで（Ｓ１３でＮＯ）、各スイッチ５３乃至５５のオン／オフ状態のチェックを継続し、いずれかのスイッチのオン／オフ状態が変化した場合には（Ｓ１４でＹＥＳ）、何らかの原因でトレイ５１上におけるＤＶＤ２の載置位置が所定位置からずれたと判断して、トレイイン動作を停止し、トレイアウト動作を実行する（Ｓ１５）と共に、表示部１２又はディスプレイ３０上に警告用のメッセージを表示する（Ｓ１６）。
【００２３】
上述したように、本実施形態によるＤＶＤプレイヤ１によれば、３つのスイッチ５３乃至５５のうち全てのスイッチがオンの状態になったとき、ＤＶＤ２がトレイ５１上における所定位置に載置されたと判断して、トレイイン動作を自動的に開始すると共に、トレイイン動作が終了するまで各スイッチ５３乃至５５のオン／オフ状態のチェックを継続し、いずれかのスイッチのオン／オフ状態が変化した場合に、トレイイン動作を中止するようにした。これにより、トレイ５１上におけるＤＶＤ２の載置位置が所定位置からずれた場合でも、ずれの方向に関わらず、トレイ５１の引き込みミスを防ぐことができ、また、従来における同種の装置と異なり、トレイイン動作の実行時にエジェクトボタン等を押して実行を指示する必要がなくなるので、装置の操作性を向上させることができる。
【００２４】
なお、本発明は、上記実施形態に限られるものではなく、様々な変形が可能である。例えば、本実施形態では、ＤＶＤ２がトレイ５１上の所定位置に載置されていることを検知するための検知手段を、３つの押しボタン式のスイッチ５３乃至５５により構成した場合の例を示したが、検知手段の構成はこれに限らず、押しボタン式スイッチ以外の他の検知器により構成してもよい。また、検知手段を構成する検知器の数は、３つに限らない。また、上記実施形態では、スイッチ５３乃至５５が全てオフの状態が所定の時間以上継続すると、トレイイン動作を自動的に開始するようにしたが、スイッチ５３乃至５５が全てオフのときには、操作部上又はリモコン上のエジェクトキーの２回押し等によりトレイイン動作の強制的な実行が指示された場合に限り、トレイイン動作を開始するようにしてもよい。さらにまた、上記実施形態では、操作部１１上のエジェクトキー５２又はリモコン４０上のエジェクトキー４２を所定時間内に２回連続して押す方法によりトレイイン動作の強制実行を指示したが、操作部上又はリモコン上に強制実行指示ボタンを設けて、この強制実行指示ボタンによりトレイイン動作の強制実行を指示してもよい。
【００２５】
【発明の効果】
以上説明したように請求項１の発明によれば、複数のスイッチのうち全てのスイッチがオンの状態になったとき、光ディスクがトレイ上における所定位置に載置されたと判断して、トレイイン動作を自動的に開始すると共に、トレイイン動作が終了するまで各スイッチのオン／オフ状態のチェックを継続し、いずれかのスイッチのオン／オフ状態が変化した場合に、トレイイン動作を中止するようにした。これにより、トレイ上における光ディスクの載置位置が所定位置からずれた場合でも、ずれの方向に関わらず、トレイの引き込みミスを防ぐことができ、また、従来の装置と異なり、トレイイン動作の実行時にエジェクトボタン等を押して実行を指示する必要がなくなるので、装置の操作性を向上させることができる。
【００２６】
また、請求項２の発明によれば、光ディスクがトレイ上の所定位置に載置されたと検知された場合に、その検知時点から所定の時間が経過した後に、トレイイン動作を自動的に実行し、光ディスクがトレイ上の所定位置に載置されていないと検知された場合に、トレイイン動作を実行しないようにした。これにより、上記請求項１に記載の発明と同等の効果を得ることができる。
【００２７】
また、光ディスクがトレイ上の所定位置に載置されたと検知された場合に、その検知時点から所定の時間が経過した後に、トレイイン動作を自動的に開始すると共に、トレイイン動作が終了するまで検知を継続し、その検知結果が変化した場合に、トレイイン動作を中止するようにしたことにより、トレイイン動作の途中でトレイ上における光ディスクの載置位置が所定位置からずれた場合でも、トレイの引き込みミスを防ぎ、ディスクの破損を防止することができる。
【図面の簡単な説明】
【図１】本発明の一実施形態に係る光ディスク再生装置の電気的ブロック構成図。
【図２】トレイがクローズした状態における上記再生装置及びディスプレイを示す正面図。
【図３】上記再生装置におけるオープンした状態のトレイを示す斜視図。
【図４】上記再生装置におけるディスク載置検知部の電気的な構成を示す図。
【図５】（ａ）は光ディスクがトレイ上の載置されるべき位置に載置されている様子を示す斜視図、（ｂ）は光ディスクがトレイ上の載置されるべき位置からずれた位置に載置されている様子を示す斜視図。
【図６】上記再生装置のトレイオープンした状態における処理を示すフローチャート。
【符号の説明】
１      ＤＶＤプレイヤ（光ディスク再生装置）
２      ＤＶＤ（光ディスク）
４      光ピックアップ（光ディスク情報読取手段）
６      デコーダ（再生手段）
１０    制御部（制御手段）
１５    ディスク載置検知部（検知手段）
１６    ローディングモータ（搬送手段）
５１    トレイ
５３    スイッチ
５４    スイッチ
５５    スイッチ
【図１】
2004206762.tif 000003
【図２】
2004206762.tif 000004
【図３】
2004206762.tif 000005
【図４】
2004206762.tif 000006
【図５】
2004206762.tif 000007
【図６】
2004206762.tif 000008